(57)【要約】【課題】バールを用いれば瞬時に破壊される虞のある従来型の、屋外側に別途に取付ける面格子は設けることなく、ルーバー羽根が保持アームから抜き外される抜脱被害と雨水が浸入する雨水浸入被害とガラスが割られる破壊被害とを同時に阻止することができるルーバー羽根を提供する。  【解決手段】ルーバー羽根１１は、板ガラス２１の縁部が、断面が溝形であって表面が平滑な金属フレーム２２によって覆われて成り、該縁部を覆う金属フレームにはルーバー羽根１１を保持アーム５０の本体部５１に掛け止める掛止手段３０が設けられていて、該掛止手段に掛け止められて保持アームからの抜脱が阻止され、該金属フレームの平滑な表面同士の接触によって雨水の浸入が阻止され、断面が溝形の金属フレームによって縁部に面格子が形成されて破壊が阻止される。【選択図】  図５
2008267122.tif 000002
【特許請求の範囲】
【請求項１】
ルーバー窓の保持アームに挿着されて回動するルーバー羽根であって、該ルーバー羽根は、その本体を成す板ガラスの縁部が金属フレームによって覆われて成り、且つ該縁部を覆う金属フレームにはルーバー羽根を保持アームの本体部に掛け止める掛止手段が設けられており、該掛止手段によって保持アームからの抜脱が阻止される構成であることを特徴とするところの抜脱阻止機能を有するルーバー羽根。
【請求項２】
ルーバー窓の保持アームに挿着されて回動するルーバー羽根であって、該ルーバー羽根は、その本体を成す板ガラスの縁部が、断面が溝形であって表面が平滑な金属フレームによって覆われて成り、該ルーバー羽根が鎧状に接触する際には該金属フレームの平滑な表面同士の接触となって雨水の浸入が阻止される構成であると同時に、本体を成す板ガラスは断面が溝形の金属フレームによって縁部に面格子が形成されて破壊が阻止される構成であることを特徴とするところの雨水浸入阻止機能と破壊阻止機能とを同時に有するルーバー羽根。
【請求項３】
ルーバー窓の保持アームに挿着されて回動するルーバー羽根であって、該ルーバー羽根は、その本体を成す板ガラスの縁部が、断面が溝形であって表面が平滑な金属フレームによって覆われて成り、該縁部を覆う金属フレームにはルーバー羽根を保持アームの本体部に掛け止める掛止手段が設けられていて保持アームからの抜脱が阻止される構成であると同時に、該ルーバー羽根が鎧状に接触する際には該金属フレームの平滑な表面同士の接触となって雨水の浸入が阻止される構成であり、本体を成す板ガラスは断面が溝形の金属フレームによって縁部に面格子が形成されて破壊が阻止される構成であることを特徴とするところの抜脱阻止機能と雨水浸入阻止機能と破壊阻止機能とを同時に有するルーバー羽根。
【請求項４】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め螺入されている止めネジの類（例えば、全長に亘り同径であって全長にネジ溝が設けられているような小ネジ）から成り、該止めネジの類は、ルーバー羽根が保持アームに挿着される前にあっては該金属フレームの表面から突出しない程度にまで螺入されて該金属フレーム内に没している状態とされていて、ルーバー羽根が保持アームに挿着された後にあっては該止めネジの一部が保持アームに引っ掛かる程度にまで金属フレームの表面から突出した状態とされ、ルーバー羽根は該突出した止めネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【請求項５】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられているネジ穴の類から成り、該ネジ穴の類にはルーバー羽根の抜脱阻止に供するネジの類が、ルーバー羽根が保持アームに挿着された後に螺入ないしは嵌められ、ルーバー羽根は該螺入ないしは嵌められたネジの類に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【請求項６】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられている窪みの類から成り、該窪みの類には、ルーバー羽根が保持アームに挿着された後に、保持アームに予め設けられているネジ穴に螺入されたネジの類の先端部が嵌り、該ルーバー羽根は保持アームに螺入された該ネジの類の先端部に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【請求項７】
ルーバー羽根の本体を成す板ガラスへの抜脱阻止機能と雨水浸入阻止機能と破壊阻止機能の付与方法であって、先ずは、その本体を成す板ガラスは保持アームに挿着されるに先立ち、該板ガラスの縁部には断面が溝形であって表面が平滑な金属フレームが設けられることによって雨水浸入阻止機能と破壊阻止機能とが付与され、次に、該雨水浸入阻止機能と破壊阻止機能とが付与されたルーバー羽根は保持アームに挿着され、しかる後、保持アームに挿着された該ルーバー羽根は該金属フレームに予め設けられている掛止手段によって抜脱阻止機能が付与されることを特徴とするところのルーバー羽根への抜脱阻止機能と雨水浸入阻止機能と破壊阻止機能の付与方法。
【発明の詳細な説明】
【技術分野】
【０００１】
本発明は、住宅等建造物の開口部に設置されるルーバー窓に用いられるルーバー羽根に係り、詳しくは保持アームからのルーバー羽根の抜脱を阻止する抜脱阻止機能を有するルーバー羽根、鎧状接触部からの雨水の浸入を阻止する雨水浸入阻止機能とルーバー羽根の破壊行為を阻止する破壊阻止機能とを同時に有するルーバー羽根、及び該抜脱阻止機能と該雨水浸入阻止機能と該面破壊阻止機能とを同時に有するルーバー羽根、及びそれら機能の付与方法に関する。
【背景技術】
【０００２】
図７はルーバー窓の構成を概略的に示す縦断面図である。ルーバー窓では、ルーバー羽根Ｒは保持アームＨに挿着されており、保持アームＨは窓枠Ｗに軸着されていて連動フレームＦを介してオペレータＰに連結していて、保持アームＨが回動することによってルーバー羽根Ｒの縁部が鎧状に接触して開閉する構成になっている。ルーバー羽根Ｒとしては従来一般に厚み６．０〜６．８ｍｍの型板ガラスが裸の状態（縁部にフレーム等が設けられていない状態）で用いられていた。
【０００３】
ルーバー窓の種類としては、ルーバー羽根の保持方式によって分類するとすれば、ホルダ方式のルーバー窓とクリップ方式のルーバー窓とに大別される。ホルダ方式のルーバー窓は、ルーバー羽根の短辺側にホルダを被せて挿着する方式であって、ルーバー羽根は所定位置まで挿入されると同時にホルダに設けられている掛合ボタンが保持アームの掛合窓に掛合して所定位置に保持される。一方、クリップ方式のルーバー窓は、ホルダは用いないで直に挿着する方式であって、弾性的に撓むクリップを広げて所定位置まで挿入すればクリップが元の姿勢に戻り、クリップのフックがルーバー羽根の上端に掛かって所定位置に保持される。なお、その他の分類としては、ルーバー羽根を２重に構成したダブルガラスルーバー窓や、電動式ルーバー窓などがあるが、ルーバー羽根の保持方式としては上記分類の範疇であり、何れも裸の型板ガラスが用いられていた。
【０００４】
ルーバー窓における主な問題点としては、ルーバー羽根が保持アームから抜き外されるという抜脱被害と、風雨の際にはルーバー羽根を閉じた状態であっても型板ガラスを用いたルーバー窓では鎧状接触部から雨水が浸入するという雨水浸入被害と、ルーバー羽根のガラスはガラス切り等の小道具を用いることによって簡単に割られる等の破壊被害とがあった。
【０００５】
抜脱被害は、ルーバー羽根が開いた状態では屋外からルーバー羽根の間に手首を差し入れることが可能であるため、ホルダ方式のルーバー窓では、ホルダに設けられている掛合ボタンを突起状の小道具でもって押せば掛合ボタンが外れてルーバー羽根は容易に抜き外される。クリップ方式のルーバー窓では、指先でクリップを開けばフックが外れてルーバー羽根は容易に抜き外される。このため、何れの方式のルーバー窓においても「就寝時や外出時にはルーバー羽根を閉じて下さい」との警告文が、ルーバー窓の窓枠の目立つ箇所に表示されている。しかしながら、ルーバー羽根をその度毎に開け閉めするのは面倒であって、閉め忘れる場合が多々あり、住人の防犯意識に頼る人為的な防犯対策には問題があった。
【０００６】
雨水浸入被害は、型板ガラスを用いる従来のルーバー窓においては、型板の凹凸によって鎧状接触部に微小な間隙が形成されており、風雨の際には該間隙に風水圧が加わって雨水が屋内に浸入する被害であり、従来、シリコーンゴム等から成る弾性材をルーバー羽根の鎧状接触面に設ける対策が、例えば、特開平７−２３３３６１号公報、特開平１１−６２４２０号公報等々において提案されている。これら公知の手段は、何れも弾性材を鎧状接触面に設けるという手段であって、雨水浸入阻止には有効であると言われている。しかしながら、弾性材は強度に劣る材料であって面格子としての機能には全く欠けているため、型板ガラスが裸の状態で用いられる従来のルーバー窓においてはルーバー羽根が割られるという破壊被害を阻止することができないという問題があった。このため、雨水浸入被害と破壊被害とを同時に防止することのできる防犯手段が求められていた。
【０００７】
従来、抜脱被害や破壊被害に対しては、面格子をルーバー窓の屋外側に別途に取付けるという対策がとられていた。しかしながら、屋外側に別途に取付ける従来型の面格子は、見た目には安全であるかのように感じられるが、実はバール等を用いれば僅かに９秒で破壊されるとの報告がインターネット等においても為されているように、実際には殆ど役にたたないのであって、心理的な効果しかないという防犯上の問題があった。このため、屋外側に別途に取付ける従来型の面格子よりも更に性能に優れた実効性のある防犯手段の開発が求められていた。
【０００８】
本出願の出願人は、屋外側に別途に取付ける従来型の面格子よりも更に性能に優れた実効性なある防犯手段を開発するべく、クリップ方式のルーバー窓に対しては、特開２００５−１２０８１２号公報において、従来型の面格子に代わる防犯手段、即ち従来型の面格子は設置することなく抜脱被害が阻止できる防犯手段を提案した。しかしながら、上記提案の手段は、保持アームのクリップ部が開かないようにクリップ部の動きを封ずることによってルーバー羽根の抜脱を阻止する構成であったため、対象がクリップ方式のルーバー窓に限定されていて、ルーバー窓の大半を占めるホルダ方式のルーバー窓においては機能しないという問題があった。このため、従来型の面格子は設置しない方式の防犯手段であって、ホルダ方式のルーバー窓やクリップ方式のルーバー窓の何れのルーバー窓においても機能する防犯手段が求められていた。即ち、別途に取付ける従来型の面格子は設置することなく何れの方式のルーバー窓においても抜脱被害や雨水浸入被害や破壊被害を阻止することのできる防犯手段が求められていた。
【０００９】
また、副次的な問題としては、屋外側に別途に取付けられる従来型の面格子と裸の型板ルーバーガラスとの組合せから成る従来のシステムにおいては、ルーバー羽根の羽根模様と面格子の格子模様とが重畳して重苦しい感じとなり、ルーバー窓に特有の美観が損なわれるという美観上の問題があった。このため、美観の点においても屋外側に別途に取付けられる従来型の面格子は用いない方式の防犯手段が望まれていた。
【００１０】
【特許文献１】特開平７−２３３３６１号公報
【特許文献２】特開平１１−６２４２０号公報
【特許文献３】特開２００５−１２０８１２号公報
【発明の開示】
【発明が解決しようとする課題】
【００１１】
本発明における第１の課題は、屋外側に別途に取付けられる従来型の面格子は設置することなく、ホルダ方式やクリップ方式など何れの方式のルーバー窓においても抜脱被害を阻止することができるルーバー羽根、即ち抜脱阻止機能を有するルーバー羽根を提供することにある。
【００１２】
本発明における第２の課題は、屋外側に別途に取付けられる従来型の面格子は設置することなく、ホルダ方式やクリップ方式など何れの方式のルーバー窓においても雨水浸入被害と破壊被害とを同時に阻止することができるルーバー羽根、即ち雨水浸入阻止機能と破壊阻止機能とを同時に有するルーバー羽根を提供することにある。
【００１３】
本発明における第３の課題は、屋外側に別途に取付けられる従来型の面格子は設置することなく、ホルダ方式やクリップ方式など何れの方式のルーバー窓においても抜脱被害と雨水浸入被害と破壊被害とを同時に阻止することができるルーバー羽根、即ち抜脱阻止機能と雨水浸入阻止機能と破壊阻止機能とを同時に有するルーバー羽根を提供することにある。また、ルーバー羽根への抜脱阻止機能と雨水浸入阻止機能と破壊阻止機能の付与方法についても提供する。
【課題を解決するための手段】
【００１４】
請求項１記載の発明では、上記第１の課題を解決するための手段を提供する。即ち、本発明は、ルーバー窓の保持アームに挿着されて回動するルーバー羽根であって、該ルーバー羽根は、その本体を成す板ガラスの縁部が金属フレームによって覆われて成り、且つ該縁部を覆う金属フレームにはルーバー羽根を保持アームの本体部に掛け止める掛止手段が設けられており、該掛止手段によって保持アームからの抜脱が阻止される構成であることを特徴とするところの抜脱阻止機能を有するルーバー羽根を提供する。
【００１５】
請求項２記載の発明では、上記第２の課題を解決するための手段を提供する。即ち、本発明は、ルーバー窓の保持アームに挿着されて回動するルーバー羽根であって、該ルーバー羽根は、その本体を成す板ガラスの縁部が、断面が溝形であって表面が平滑な金属フレームによって覆われて成り、該ルーバー羽根が鎧状に接触する際には該金属フレームの平滑な表面同士の接触となって雨水の浸入が阻止される構成であると同時に、本体を成す板ガラスは断面が溝形の金属フレームによって縁部に面格子が形成されて破壊が阻止される構成であることを特徴とするところの雨水浸入阻止機能と破壊阻止機能とを同時に有するルーバー羽根を提供する。
【００１６】
請求項３記載の発明では、上記第３の課題を解決するための手段を提供する。即ち、本発明は、ルーバー窓の保持アームに挿着されて回動するルーバー羽根であって、該ルーバー羽根は、その本体を成す板ガラスの縁部が、断面が溝形であって表面が平滑な金属フレームによって覆われて成り、該縁部を覆う金属フレームにはルーバー羽根を保持アームの本体部に掛け止める掛止手段が設けられていて保持アームからの抜脱が阻止される構成であると同時に、該ルーバー羽根が鎧状に接触する際には該金属フレームの平滑な表面同士の接触となって雨水の浸入が阻止される構成であり、本体を成す板ガラスは断面が溝形の金属フレームによって縁部に面格子が形成されて破壊が阻止される構成であることを特徴とするところの抜脱阻止機能と雨水浸入阻止機能と破壊阻止機能とを同時に有するルーバー羽根を提供する。
【００１７】
請求項４記載の発明では、上記第１の課題を解決するための具体的な手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め螺入されている止めネジの類（例えば、全長に亘り同径であって全長にネジ溝が設けられているような小ネジ）から成り、該止めネジの類は、ルーバー羽根が保持アームに挿着される前にあっては該金属フレームの表面から突出しない程度にまで螺入されて該金属フレーム内に没している状態とされていて、ルーバー羽根が保持アームに挿着された後にあっては該止めネジの一部が保持アームに引っ掛かる程度にまで金属フレームの表面から突出した状態とされ、ルーバー羽根は該突出した止めネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。
【００１８】
請求項５記載の発明では、上記の第１の課題を解決するための具体的な手段の、もう１つの手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられているネジ穴の類から成り、該ネジ穴の類にはルーバー羽根の抜脱阻止に供するネジの類が、ルーバー羽根が保持アームに挿着された後に螺入ないしは嵌められ、ルーバー羽根は該螺入ないしは嵌められたネジの類に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。
【００１９】
請求項６記載の発明では、上記の第１の課題を解決するための具体的な手段の、他のもう１つの手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられている窪みの類から成り、該窪みの類には、ルーバー羽根が保持アームに挿着された後に、保持アームに予め設けられているネジ穴に螺入されたネジの類の先端部が嵌り、該ルーバー羽根は保持アームに螺入された該ネジの類の先端部に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。
【００２０】
請求項７記載の発明では、上記第３の課題を解決するための方法を提供する。即ち、本発明は、ルーバー羽根の本体を成す板ガラスへの抜脱阻止機能と雨水浸入阻止機能と破壊阻止機能の付与方法であって、先ずは、その本体を成す板ガラスは保持アームに挿着されるに先立ち、該板ガラスの縁部には断面が溝形であって表面が平滑な金属フレームが設けられることによって雨水浸入阻止機能と破壊阻止機能とが付与され、次に、該雨水浸入阻止機能と破壊阻止機能とが付与されたルーバー羽根は保持アームに挿着され、しかる後、保持アームに挿着された該ルーバー羽根は該金属フレームに予め設けられている掛止手段によって抜脱阻止機能が付与されることを特徴とするところのルーバー羽根への抜脱阻止機能と雨水浸入阻止機能と破壊阻止機能の付与方法を提供する。
【発明の効果】
【００２１】
請求項１記載の抜脱阻止機能を有するルーバー羽根によれば、該ルーバー羽根の縁部を覆う金属フレームには、ルーバー羽根を保持アームの本体部に掛け止める掛止手段が設けられている。第三者がルーバー羽根を抜き外そうとした場合には、該掛止手段が保持アームの本体部に引っ掛かって抜脱が阻止される。該掛止手段は、特開２００５−１２０８１２号公報に記載の掛止手段のようにクリップ部の動きを封ずる構成ではなくて、保持アームの本体部に掛け止める構成であるので、クリップ方式やホルダ方式を問わず何れの方式のルーバー窓においても機能する。即ち、ルーバー窓の大半を占めるホルダ方式のルーバー窓においても抜脱は阻止されるのであり、特開２００５−１２０８１２号公報に記載のルーバー羽根よりも用途範囲が格段に広い。しかも、本発明のルーバー羽根は、公知のルーバー窓が「就寝時や外出時にはルーバー羽根を閉じて下さい」なる警告文によって求めているような、住人の防犯意識に頼る人為的な対策ではなくて、ルーバー羽根自体が有する機能に基づく対策であり、防犯は確実に保障され、何れの方式のルーバー窓においてもルーバー羽根が抜き外されることはない。従って、外出時や就寝時の度毎にルーバー羽根を閉める必要はなく、常時換気が可能であって浴室やトイレの用途としては最適である。また、別途に取付ける従来方式の面格子は必要としないため、コストは掛かないし、ルーバー羽根の羽根模様と面格子の格子模様とが重畳することがなくてルーバー窓に特有の美観が損なわれることもない。また、本発明のルーバー羽根は、ルーバー羽根を２重に構成したダブルルーバー窓においても機能するものであり用途は広い。
【００２２】
請求項２記載の雨水浸入阻止機能と破壊阻止機能とを有するルーバー羽根によれば、該ルーバー羽根はその本体を成す板ガラスの縁部が、断面が溝形であって表面が平滑な金属フレームによって覆われている。表面が平滑な金属フレームの表面は概して鏡面状であり強度も有するものであって、表面が平滑な金属フレームによって縁部が覆われて成るルーバー羽根では、該ルーバー羽根が鎧状に接触する際には鏡面同士の密な接触となり、雨水の浸入は阻止されるのであり、シリコーンゴム等から成る弾性材は必要としない。また、板ガラスの縁部が溝型の金属フレームによって覆われて成るルーバー羽根は、縁部の表面部と側面部と裏面部とが金属フレームから成る面格子によって覆われていて、縁部の３面に面格子が形成された状態となる。この状態の面格子は、面格子としての金属フレームがガラスと一体になっていて両者の間に間隙は全く生じない構成であり、従来方式の面格子のようにバール等を差し込むことは不可能であって破壊されることはない。このように、本発明のルーバー窓は破壊阻止機能を有するものであって、従来方式の面格子は必要としないため、コストは掛かないし、ルーバー羽根の羽根模様と面格子の格子模様とが重畳することがなくてルーバー窓に特有の美観が損なわれることもない。また、住人の防犯意識に頼る人為的な対策ではなくてルーバー羽根自体が有する機能に基づく対策であり、防犯は確実に保障されて安心であって、外出時や就寝時の度毎にルーバー羽根を閉める必要はなく、常時換気が可能であって浴室やトイレの用途としては最適である。
【００２３】
請求項３記載の抜脱阻止機能と雨水浸入阻止機能と破壊阻止機能とを有するルーバー羽根は、上記の請求項１記載の機能と請求項２記載の機能とを同時に有するものであって、別途に取付ける従来方式の面格子やシリコーンゴム等から成る弾性材は設ける必要はなくて、抜脱が阻止されると同時に、雨水の浸入が阻止され、ルーバー羽根の破壊もが阻止される。そして、上記の請求項１記載の効果と請求項２記載の効果とを同時に有する。即ち、本発明のルーバー羽根によれば、従来方式の面格子は必要としないため、コストは掛かないし、ルーバー羽根の羽根模様と面格子の格子模様とが重畳することがなくてルーバー窓に特有の美観が損なわれることもない。また、本発明のルーバー羽根はルーバー羽根自体が有する機能に基づく対策であって、公知の安全対策のように住人の防犯意識に頼る人為的な対策ではないため、防犯は確実に保障されて安心である。従って、外出時や就寝時の度毎にルーバー羽根を閉める必要はなくて、常時換気が可能であって浴室やトイレの用途としては最適である。
【００２４】
請求項４記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め螺入されている止めネジの類から成る。該止めネジの類は、ルーバー羽根が保持アームに挿着される前にあっては該金属フレームの表面から突出しない程度にまで螺入されていて該金属フレーム内に没しているため、挿着の際に該止めネジが保持アームに引っ掛かるようなことはなくて、挿着操作に支障を来たすことはない。該止めネジの類はルーバー羽根が保持アームに挿着された後にあっては保持アームに掛かる程度にまで金属フレームの表面から突出させているので、ルーバー羽根を保持アームから抜き外そうとした場合には、該止めネジの類が保持アームに引っ掛かって抜脱が阻止される。該止めネジの類は既に螺入されているので、ネジをネジ穴に挿入する作業は不要であってネジ挿入に際し失敗がないし、手間が掛からない。即ち、既に螺入されている止めネジをレンチ等で回せば容易に突出させることができるのであり、操作が簡単確実である。抜脱阻止の状態を永久に維持するための操作は、止めネジ頭部の工具勘合部３３（ネジ回しやレンチ等の工具を嵌める部分）にシーリング材ないしは接着剤などの充填剤を詰めることにより簡単に行えるのであり、何れの操作も簡単である。
【００２５】
請求項５記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め設けられたネジ穴の類から成る。抜脱阻止に供するネジの類は、該ルーバー羽根が保持アームに挿着された後に、金属フレームに予め設けられている該ネジ穴の類に螺入ないしは嵌められる構成であるから、該ネジ穴や該ネジの類がルーバー羽根の挿着作業に支障をきたすことはない。このようにして抜脱阻止に供するネジの類が螺入された後の状態は、請求項４記載のルーバー羽根において止めネジ３１が突出した状態に同じであり、止めネジ３１による効果と同等の効果が得られて抜脱は阻止される。
【００２６】
請求項６記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め設けられた窪みの類から成る。該窪みの類には、抜脱阻止に供するネジの類が、ルーバー羽根が保持アームに挿着された後に、保持アームに予め設けられているネジ穴に螺入される構成であり、ルーバー羽根の挿着作業に支障をきたすことはない。保持アームに螺入されて該ネジの先端部が窪に嵌った状態は、請求項４や請求項５に記載のルーバー羽根における抜脱阻止の状態に匹敵するものであり、請求項４や請求項５に記載のルーバー羽根における場合と同等の効果が得られて抜脱は阻止される。
【００２７】
請求項７記載の、ルーバー羽根への抜脱阻止機能と雨水浸入阻止機能と破壊阻止機能の付与方法によれば、該付与方法は、ルーバー羽根の縁部を覆う金属フレームに予め仕掛けておく（付与しておく）方法であって、作業が容易であり手間が掛からない。
【発明を実施するための最良の形態】
【００２８】
以下に、本発明を実施するための最良の形態を実施例に基づいて図面を参照しながら説明する。
図１は本発明の第１実施例における抜脱阻止機能と雨水浸入阻止機能と破壊阻止機能とを有するルーバー羽根１１の正面図である。図２は図１のＡ−Ａ線切断部端面図の部分拡大図であって挿着前の状態（止めネジ３１が没の状態）を示しており、図３は図１のＡ−Ａ線切断部端面図の部分拡大図であって抜脱阻止の状態（止めネジ３１が突出の状態）を示ししており、図４は図１に示すルーバー羽根１１がホルダ方式の保持アーム５０に挿着された状態を示す部分正面図であり、図５は図４のＢ―Ｂ線切断部端面図であって抜脱阻止の状態を示している。図６は本発明の第３実施例においてルーバー羽根１３がホルダ方式の保持アーム５０に挿着された状態を示す部分正面図である。
【００２９】
第１実施例は、主に請求項１と請求項３と請求項４と請求項７に係る部分であり、ルーバー羽根１１がホルダ方式の保持アーム５０に挿着されて抜脱が阻止され、雨水の浸入が阻止され、ガラス割り等の破壊が阻止される例について説明する。
図１に示すルーバー羽根１１は、その本体を成す板ガラス２１の縁部が表面と側面と裏面の３面に亘り、断面が溝形であって表面が平滑な金属フレーム２２によって覆われて成る。板ガラス２１としては型板ガラス、透明平板ガラス、ステンドグラスなど何れのガラスであってもよい。例えば、十数個のルーバー羽根によって構成されるルーバー窓において、その中の２〜４個を、ステンドグラスを用いて形成したルーバー羽根でもって構成することも可能であり、その場合には美観が飛躍的に、しかも低コストに向上する。金属フレーム２２としては、素材がアルミやステンレス、真鍮等々から成り、断面形状が溝型であって表面が平滑な型材を用いることができるが、その中でもアルミの押出し型材が適している。なお、６ｍｍ用保持アームに適合するルーバー羽根として製造する場合には、板ガラス２１は厚みが３ｍｍ〜４ｍｍであって、金属フレーム２２は溝幅の外寸が６．０〜６．８ｍｍの型材を用いる必要がある。
【００３０】
金属フレーム２２は、ルーバー羽根１１の仕上がり寸法に応じて切断され、その短辺側の金属フレームには、ルーバー羽根１１を保持アーム５０に掛け止める掛止手段３０が設けられている。本実施例では、掛止手段３０としては止めネジ３１の類（例えば、全長に亘り同径であって全長にネジ溝が切られているような小ネジ）が用いられ、止めネジ３１は保持アーム本体部５１の下方であって鎧状接触部の上方に相当する箇所(図４，図５参照）に設けられている。止めネジ３１が設けられている短辺側の金属フレーム２２は、長辺側の金属フレームと組み合わされて、板ガラス２１の縁部に配設さられ、図１に示すルーバー羽根１１が形成される。なお、図１に示す例では、止めネジ３１は片方の短辺では省略されている。なおまた、掛止手段３０（止めネジ３１）は、金属フレーム２２を板ガラス２１の縁部に配設した後に設けるようにしてもよい。
【００３１】
図２は、図１のＡ−Ａ線切断部端面の部分拡大図であり、ルーバー羽根１１が保持アーム５０に挿着される前の状態を示している。即ち、止めネジ３１の類は、ルーバー羽根１１が保持アーム５０に挿着される前にあっては、図２に示すように、金属フレーム２２の表面から突出しない程度にまで螺入されていて金属フレーム２２内に没した状態に保たれている。
【００３２】
ルーバー羽根１１を保持アーム５０に挿着するに際しては、先ずは、ホルダ４０が従来同様の要領によってルーバー羽根１１は短辺側に被せられ、しかる後、保持アーム５０に挿着（図４、図５参照）される。ホルダ４０のルーバー羽根１１への装着や、ルーバー羽根１１の保持アーム５０への挿着に際しては、止めネジ３１は金属フレーム２２の表面から突出しない程度に螺入されていて没した状態にあるので、従来と同じ作業手順にて行うことができる。即ち、止めネジ３１の類がホルダ４０の装着作業や保持アーム５０への挿着作業に支障を来たすことはない。ホルダ４０が被せられて保持アーム５０の本体部５１に挿着されたルーバー羽根１１は、図４と図５に示すように、ホルダ４０の掛合ボタン４１が保持アーム５０の掛合窓５３に嵌って所定位置に保持される。
【００３３】
保持アーム５０の本体部５１に挿着されたルーバー羽根１１は、止めネジ３１の頭部の工具勘合部３３にネジ回し（止めネジは一般に六角レンチが用いられる）を嵌めて止めネジ３１が突出する方向に回し、図３および図５に示すように、保持アーム５０の本体部５１に引っ掛かる程度にまで金属フレーム２２の表面から突出させる。止めネジ３１が突出した状態にあっては、第三者がルーバー羽根１１を保持アーム５０から抜き外そうとしたとしても、止めネジ３１が保持アーム５０の本体部５１に引っ掛かるため、ルーバー羽根は抜き外すことはできないのであって、抜脱が阻止される。なお、屋外方向への抜脱は底部５２によって阻止される。ルーバー羽根１１の抜脱を永久に阻止するための手段としては、シーリング材などの充填材を止めネジ３１の工具勘合部３３に充填する方法によるのがよい。なお、修理等の都合で、ルーバー羽根１１を抜き外す必要が生じた場合には、ルーバー羽根１１はカッターで切断して撤去することになる。
【００３４】
次に、請求項２に係る部分については図１を援用して説明する。請求項２記載のルーバー羽根は、図１に示すルーバー羽根１１において掛止手段３０の部分が設けられていない構成に相当するものであり、図１を援用して説明することとする。本体を成す板ガラス２１の縁部は、断面が溝型であって表面が平滑な金属フレーム２２、例えば、押し出し成形方など一般的な製法によって形成された金属フレームによって覆われている。これら一般的な製法によって形成された金属フレーム２２は表面が鏡面状であり、該鏡面状の表面を有する請求項２記載のルーバー羽根が鎧状に接触する際には、鏡面と鏡面の密な接触となって雨水の浸入が阻止される。また、請求項２記載のルーバー羽根の本体を成す板ガラス２１の縁部は断面が溝型の金属フレーム２２によって覆われていて、該縁部には面格子が形成された状態となっている。即ち、該金属フレーム２２から成る面格子は板ガラス２１に密着して形成されているので、屋外側に別途に取付けられる従来型の面格子のようにバール等が差し込まれる間隙はないのであり、請求項２記載のルーバー羽根はバール等によっても破壊されることはないのであり、破壊阻止機能を有する。
【００３５】
上記実施例では、掛止手段３０（止めネジ３１）は、図１〜図５に示すように、保持アーム本体部５１の下方であって鎧状接触部の上方に位置する箇所に設けられているが、掛止手段３０（止めネジ３１）が設けられる箇所は、上記の該箇所に限定されるものではなく、例えば、保持アーム本体部５１の比較的上方に設けることもできる。なお、掛止手段３０を設ける箇所が、保持アーム５０の本体部５１によって覆われていて露出していない場合には、該箇所に切り欠き部を形成して露出状態とし、該切り欠き部の箇所に掛止手段３０を設けるようにする。なお、ホルダ方式の保持アームに挿着する場合にはホルダ４０に対しても同じ位置に切り欠き部を形成する必要がある。従って、掛止手段３０を保持アーム本体部５１の比較的上方に設ける場合には、該箇所に切り欠き部が形成されている形状の保持アームやホルダを用いるようにするのがよい。
【００３６】
第２実施例は、主に請求項１と請求項５に係る実施例であり、ルーバー羽根を保持アームに掛け止めて抜脱を阻止する掛止手段３０が、金属フレーム２２に予め設けられたネジ穴の類から成る。第２実施例は、第１実施例における止めネジ３１が、ネジ穴の類に置き替わった構成である。即ち、図１を援用して説明するとすれば、該ネジ穴の類は、図１における止めネジ３１（掛止手段３０）の箇所に設けられている。掛止手段３０としては、タッピングネジ、なべ小ネジ、止めネジ、さら小ネジなどのネジ類を用いることができる。該ネジ類はルーバー羽根が保持アームに挿着された後に該ネジ穴に対して螺入されるのであり、該ネジ類がルーバー羽根の挿着作業に支障を来たすことはない。第２実施例におけるタッピングネジ、なべ小ネジ、止めネジ、さら小ネジなどのネジ類は、ルーバー羽根が挿着されて該ネジ類が螺入された後は、第１実施例における止めネジ３１の場合と同様に機能するものであり、該螺入されたネジ類に掛け止められて抜脱が阻止される。
【００３７】
図６に示す第３実施例は、請求項１と請求項６に係る実施例である。本例のルーバー羽根１３は、板ガラス２１の縁部に金属フレーム２２が設けられていて、該金属フレーム２２には掛止手段３０としての窪みの類が設けられている。一方、保持アーム５０の本体部５１には、該窪みの類が設けられている箇所と重なる箇所にはネジ穴が予め設けられていて、該ネジ穴には抜脱阻止に供するタッピングネジ、なべ小ネジ、止めネジ、さら小ネジなどのネジ類５２が螺入され、この螺入されたネジ類５２の先端部が掛止手段３０としての窪みの類に嵌る構成になっている。ルーバー羽根１３は、この窪みの類に嵌った該先端部に引っ掛かった状態となって抜脱が阻止される。この場合、ネジ類５２はこれに代わる突起の類であってもよい。
【００３８】
上記の各実施例は、ホルダ方式の保持アームに挿着される場合を例として説明したが、クリップ方式の保持アームにおいても全く同様の要領にて実施することができる。本発明では、掛止手段３０は保持アーム５０の本体部５１に掛け止める構成であって、クリップ部の有無には関係のない構成であり、クリップ方式の保持アームに限定されるものではない。即ち、ホルダ方式の保持アームにもクリップ方式の保持アームにも共通して存在する本体部に対して掛け止める構成であるので、ホルダ方式やクリップ方式の何れの方式の保持アームにおいても共通して同様に機能し、抜脱は阻止される。
【００３９】
上記の各実施例においては、掛止手段３０は金属フレーム２２の短辺の屋内側の面に設けられた例について説明したが、掛止手段３０を設ける箇所は実施例で示した箇所に限定されるものではなく、保持アーム５０に引っ掛かる箇所であれば何れの箇所であってもよい。また、掛止手段３０は、ルーバー羽根１個に対して１箇所設ければ十分であり、片方は省略することができる。また、掛止手段３０は、複数個が連なって成るルーバー羽根の全てのルーバー羽根に設ける必要はなくて、浸入者の体が通れない程度の間隔（２〜３個毎の間隔）に設ければ十分である。また、ルーバー羽根を２重に設けたダブルルーバー窓に用いる場合には、室外側になる方のルーバー羽根にのみ本発明のルーバー羽根を用いればよい。また、ステンドグラスを用いる場合には室内側に部分的に用いればよい。
【図面の簡単な説明】
【００４０】
【図１】本発明の第１実施例に係るルーバー羽根１１の正面図である。
【図２】図１のＡ−Ａ線切断部端面の部分拡大図であり、挿着前の状態（止めネジ３１が没の状態）を示す。
【図３】図１のＡ−Ａ線切断部端面の部分拡大図であり、抜脱阻止の状態（止めネジ３１が突出の状態）を示す。
【図４】図１に示すルーバー羽根１１がホルダ方式の保持アーム５０に挿着された状態を示す部分正面図である。
【図５】図４のＢ―Ｂ線切断部端面図であり、抜脱阻止の状態を示す。
【図６】本発明の第３実施例における抜脱阻止の状態を示す部分正面図である。
【図７】従来のルーバー窓の概要を示す縦断面図である。
【符号の説明】
【００４１】
１１  本発明の第１実施例に係るルーバー羽根
１３  本発明の第３実施例に係るルーバー羽根
２１  板ガラス
２２  金属フレーム
３０  掛止手段
３１  止めネジ
３２  タッピングネジなどのネジ類
３３  工具勘合部
４０  ホルダ
４１  掛合ボタン
５０  保持アーム
５１  本体部
５２  底部
５３  掛合窓
５４  アーム部
Ｒ  ルーバー羽根
Ｈ  保持アーム
Ｗ  窓枠
Ｆ  連動フレーム
Ｐ  オペレータ
【図１】
2008267122.tif 000003
【図２】
2008267122.tif 000004
【図３】
2008267122.tif 000005
【図４】
2008267122.tif 000006
【図５】
2008267122.tif 000007
【図６】
2008267122.tif 000008
【図７】
2008267122.tif 000009
【手続補正書】
【提出日】平成20年6月20日(2008.6.20)
【手続補正１】
【補正対象書類名】明細書
【補正対象項目名】００３７
【補正方法】変更
【補正の内容】
【００３７】
図６に示す第３実施例は、請求項１と請求項６に係る実施例である。本例のルーバー羽
根１３は、板ガラス２１の縁部に金属フレーム２２が設けられていて、該金属フレーム２
２には掛止手段３０としての窪みの類が設けられている。一方、保持アーム５０の本体部
５１には、該窪みの類が設けられている箇所と重なる箇所にはネジ穴が予め設けられてい
て、該ネジ穴には抜脱阻止に供するタッピングネジ、なべ小ネジ、止めネジ、さら小ネジ
などのネジ類３２が螺入され、この螺入されたネジ類３２の先端部が掛止手段３０として
の窪みの類に嵌る構成になっている。ルーバー羽根１３は、この窪みの類に嵌った該先端
部に引っ掛かった状態となって抜脱が阻止される。この場合、ネジ類３２はこれに代わる
突起の類であってもよい。 
【手続補正書】
【提出日】平成20年9月24日(2008.9.24)
【手続補正１】
【補正対象書類名】特許請求の範囲
【補正対象項目名】請求項２
【補正方法】変更
【補正の内容】
【請求項２】
ルーバー窓の保持アームに挿着されて回動するルーバー羽根であって、該ルーバー羽根は、その本体を成す板ガラスの縁部が、断面が溝形であって表面が平滑な金属フレームによって覆われて成り、該ルーバー羽根が鎧における鎧板の如く接触して閉じる際には該金属フレームの平滑な表面同士の接触となって雨水の浸入が阻止される構成であると同時に、本体を成す板ガラスは断面が溝形の金属フレームによって縁部が保護されるようになって破壊が阻止される構成であることを特徴とするところの雨水浸入阻止機能と破壊阻止機能とを同時に有するルーバー羽根。
【手続補正２】
【補正対象書類名】特許請求の範囲
【補正対象項目名】請求項３
【補正方法】変更
【補正の内容】
【請求項３】
ルーバー窓の保持アームに挿着されて回動するルーバー羽根であって、該ルーバー羽根は、その本体を成す板ガラスの縁部が、断面が溝形であって表面が平滑な金属フレームによって覆われて成り、該縁部を覆う金属フレームにはルーバー羽根を保持アームの本体部に掛け止める掛止手段が設けられていて保持アームからの抜脱が阻止される構成であると同時に、該ルーバー羽根が鎧における鎧板の如く接触して閉じる際には該金属フレームの平滑な表面同士の接触となって雨水の浸入が阻止される構成であり、本体を成す板ガラスは断面が溝形の金属フレームによって縁部が保護されるようになって破壊が阻止される構成であることを特徴とするところの抜脱阻止機能と雨水浸入阻止機能と破壊阻止機能とを同時に有するルーバー羽根。
【手続補正３】
【補正対象書類名】特許請求の範囲
【補正対象項目名】請求項４
【補正方法】変更
【補正の内容】
【請求項４】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め螺入されている止めネジから成り、該止めネジは、ルーバー羽根が保持アームに挿着される前にあっては該金属フレームの表面から突出しない程度にまで螺入されて該金属フレーム内に没している状態とされていて、ルーバー羽根が保持アームに挿着された後にあっては該止めネジの一部が保持アームに引っ掛かる程度にまで金属フレームの表面から突出した状態とされ、ルーバー羽根は該突出した止めネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【手続補正４】
【補正対象書類名】特許請求の範囲
【補正対象項目名】請求項５
【補正方法】変更
【補正の内容】
【請求項５】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられているネジ穴から成り、該ネジ穴にはルーバー羽根の抜脱阻止に供するネジが、ルーバー羽根が保持アームに挿着された後に螺入ないしは嵌められ、ルーバー羽根は該螺入ないしは嵌められたネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【手続補正５】
【補正対象書類名】特許請求の範囲
【補正対象項目名】請求項６
【補正方法】変更
【補正の内容】
【請求項６】
請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられている窪みから成り、該窪みには、ルーバー羽根が保持アームに挿着された後に、保持アームに予め設けられているネジ穴に螺入されたネジの先端部が嵌り、該ルーバー羽根は保持アームに螺入された該ネジの先端部に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根。
【手続補正６】
【補正対象書類名】特許請求の範囲
【補正対象項目名】請求項７
【補正方法】変更
【補正の内容】
【請求項７】
ルーバー羽根の本体を成す板ガラスへの抜脱阻止機能と雨水浸入阻止機能と破壊阻止機能の付与方法であって、先ずは、その本体を成す板ガラスは保持アームに挿着されるに先立ち、該板ガラスの縁部には、断面が溝形であって表面が平滑であり且つルーバー羽根を保持アームの本体部に掛け止める掛止手段を有する金属フレームが、該板ガラスの縁部を覆うように設けられ、しかる後、該ルーバー羽根は保持アームに挿着されて、該ルーバー羽根が鎧における鎧板の如く接触して閉じる際には該金属フレームの平滑な表面同士が接触するようになることによって雨水浸入阻止機能が付与され、同時に、板ガラスの縁部を覆うように設けられた断面溝形の金属フレームによって該板ガラスの縁部が保護されるようになることによって該ルーバー羽根には破壊阻止機能が付与され、次に、上記のようにして該雨水浸入阻止機能と破壊阻止機能とが付与されたルーバー羽根は縁部を覆うように設けられた該金属フレームに予め設けられている上記掛止手段によって保持アームの本体部に掛け止められるようにされることによって抜脱阻止機能が付与されることを特徴とするところのルーバー羽根への抜脱阻止機能と雨水浸入阻止機能と破壊阻止機能の付与方法。
【手続補正７】
【補正対象書類名】明細書
【補正対象項目名】全文
【補正方法】変更
【補正の内容】
【発明の詳細な説明】
【技術分野】
【０００１】
本発明は、住宅等建造物の開口部に設置されるルーバー窓に用いられるルーバー羽根に係り、詳しくは保持アームからのルーバー羽根の抜脱を阻止する抜脱阻止機能を有するルーバー羽根、鎧状接触部からの雨水の浸入を阻止する雨水浸入阻止機能とルーバー羽根の破壊行為を阻止する破壊阻止機能とを同時に有するルーバー羽根、及び該抜脱阻止機能と該雨水浸入阻止機能と該面破壊阻止機能とを同時に有するルーバー羽根、及びそれら機能の付与方法に関する。
【背景技術】
【０００２】
図７はルーバー窓の構成を概略的に示す縦断面図である。ルーバー窓では、ルーバー羽根Ｒは保持アームＨに挿着されており、保持アームＨは窓枠Ｗに軸着されていて連動フレームＦを介してオペレータＰに連結していて、保持アームＨが回動することによってルーバー羽根Ｒの縁部が鎧における鎧板の如く接触して開閉する構成になっている。ルーバー羽根Ｒとしては従来一般に厚み６．０〜６．８ｍｍの型板ガラスが裸の状態（縁部にフレーム等が設けられていない状態）で用いられていた。
【０００３】
ルーバー窓の種類としては、ルーバー羽根の保持方式によって分類するとすれば、ホルダ方式のルーバー窓とクリップ方式のルーバー窓とに大別される。ホルダ方式のルーバー窓は、ルーバー羽根の短辺側にホルダを被せて挿着する方式であって、ルーバー羽根は所定位置まで挿入されると同時にホルダに設けられている掛合ボタンが保持アームの掛合窓に掛合して所定位置に保持される。一方、クリップ方式のルーバー窓は、ホルダは用いないで直に挿着する方式であって、弾性的に撓むクリップを広げて所定位置まで挿入すればクリップが元の姿勢に戻り、クリップのフックがルーバー羽根の上端に掛かって所定位置に保持される。なお、その他の分類としては、ルーバー羽根を２重に構成したダブルガラスルーバー窓や、電動式ルーバー窓などがあるが、ルーバー羽根の保持方式としては上記分類の範疇であり、何れも裸の型板ガラスが用いられていた。
【０００４】
ルーバー窓における主な問題点としては、ルーバー羽根が保持アームから抜き外されるという抜脱被害と、風雨の際にはルーバー羽根を閉じた状態であっても型板ガラスを用いたルーバー窓では型板ガラス同士の接触部から雨水が浸入するという雨水浸入被害と、ルーバー羽根のガラスはガラス切り等の小道具を用いることによって簡単に割られる等の破壊被害とがあった。
【０００５】
抜脱被害は、ルーバー羽根が開いた状態では屋外からルーバー羽根の間に手首を差し入れることが可能であるため、ホルダ方式のルーバー窓では、ホルダに設けられている掛合ボタンを突起状の小道具でもって押せば掛合ボタンが外れてルーバー羽根は容易に抜き外される。クリップ方式のルーバー窓では、指先でクリップを開けばフックが外れてルーバー羽根は容易に抜き外される。このため、何れの方式のルーバー窓においても「就寝時や外出時にはルーバー羽根を閉じて下さい」との警告文が、ルーバー窓の窓枠の目立つ箇所に表示されている。しかしながら、ルーバー羽根をその度毎に開け閉めするのは面倒であって、閉め忘れる場合が多々あり、住人の防犯意識に頼る人為的な防犯対策には問題があった。
【０００６】
雨水浸入被害は、型板ガラスを用いる従来のルーバー窓においては、型板ガラス同士が鎧板の如く接触する際に、該接触部には型板の凹凸によって微小な間隙が形成されており、風雨の際には該間隙に風水圧が加わって雨水が屋内に浸入するという被害であり、従来、シリコーンゴム等から成る弾性材をルーバー羽根の該接触面に設ける対策が、例えば、特開平７−２３３３６１号公報、特開平１１−６２４２０号公報等々において提案されている。これら公知の手段は、何れも弾性材を該接触面に設けるという手段であって、雨水浸入阻止には有効であると言われている。しかしながら、弾性材は強度に劣る材料であって面格子としての機能には全く欠けているため、型板ガラスが裸の状態で用いられる従来のルーバー窓においてはルーバー羽根が割られるという破壊被害を阻止することができないという問題があった。このため、雨水浸入被害と破壊被害とを同時に防止することのできる防犯手段が求められていた。
【０００７】
従来、抜脱被害や破壊被害に対しては、面格子をルーバー窓の屋外側に別途に取付けるという対策がとられていた。しかしながら、屋外側に別途に取付ける従来型の面格子は、見た目には安全であるかのように感じられるが、実はバール等を用いれば僅かに９秒で破壊されるとの報告がインターネット等においても為されているように、実際には殆ど役にたたないのであって、心理的な効果しかないという防犯上の問題があった。このため、屋外側に別途に取付ける従来型の面格子よりも更に性能に優れた実効性のある防犯手段の開発が求められていた。
【０００８】
本出願の出願人は、屋外側に別途に取付ける従来型の面格子よりも更に性能に優れた実効性なある防犯手段を開発するべく、クリップ方式のルーバー窓に対しては、特開２００５−１２０８１２号公報において、従来型の面格子に代わる防犯手段、即ち従来型の面格子は設置することなく抜脱被害が阻止できる防犯手段を提案した。しかしながら、上記提案の手段は、保持アームのクリップ部が開かないようにクリップ部の動きを封ずることによってルーバー羽根の抜脱を阻止する構成であったため、対象がクリップ方式のルーバー窓に限定されていて、ルーバー窓の大半を占めるホルダ方式のルーバー窓においては機能しないという問題があった。このため、従来型の面格子は設置しない方式の防犯手段であって、ホルダ方式のルーバー窓やクリップ方式のルーバー窓の何れのルーバー窓においても機能する防犯手段が求められていた。即ち、別途に取付ける従来型の面格子は設置することなく何れの方式のルーバー窓においても抜脱被害や雨水浸入被害や破壊被害を阻止することのできる防犯手段が求められていた。
【０００９】
また、副次的な問題としては、屋外側に別途に取付けられる従来型の面格子と裸の型板ルーバーガラスとの組合せから成る従来のシステムにおいては、ルーバー羽根の羽根模様と面格子の格子模様とが重畳して重苦しい感じとなり、ルーバー窓に特有の美観が損なわれるという美観上の問題があった。このため、美観の点においても屋外側に別途に取付けられる従来型の面格子は用いない方式の防犯手段が望まれていた。
【００１０】
【特許文献１】特開平７−２３３３６１号公報
【特許文献２】特開平１１−６２４２０号公報
【特許文献３】特開２００５−１２０８１２号公報
【発明の開示】
【発明が解決しようとする課題】
【００１１】
本発明における第１の課題は、屋外側に別途に取付けられる従来型の面格子は設置することなく、ホルダ方式やクリップ方式など何れの方式のルーバー窓においても抜脱被害を阻止することができるルーバー羽根、即ち抜脱阻止機能を有するルーバー羽根を提供することにある。
【００１２】
本発明における第２の課題は、屋外側に別途に取付けられる従来型の面格子は設置することなく、ホルダ方式やクリップ方式など何れの方式のルーバー窓においても雨水浸入被害と破壊被害とを同時に阻止することができるルーバー羽根、即ち雨水浸入阻止機能と破壊阻止機能とを同時に有するルーバー羽根を提供することにある。
【００１３】
本発明における第３の課題は、屋外側に別途に取付けられる従来型の面格子は設置することなく、ホルダ方式やクリップ方式など何れの方式のルーバー窓においても抜脱被害と雨水浸入被害と破壊被害とを同時に阻止することができるルーバー羽根、即ち抜脱阻止機能と雨水浸入阻止機能と破壊阻止機能とを同時に有するルーバー羽根を提供することにある。また、ルーバー羽根への抜脱阻止機能と雨水浸入阻止機能と破壊阻止機能の付与方法についても提供する。
【課題を解決するための手段】
【００１４】
請求項１記載の発明では、上記第１の課題を解決するための手段を提供する。即ち、本発明は、ルーバー窓の保持アームに挿着されて回動するルーバー羽根であって、該ルーバー羽根は、その本体を成す板ガラスの縁部が金属フレームによって覆われて成り、且つ該縁部を覆う金属フレームにはルーバー羽根を保持アームの本体部に掛け止める掛止手段が設けられており、該掛止手段によって保持アームからの抜脱が阻止される構成であることを特徴とするところの抜脱阻止機能を有するルーバー羽根を提供する。
【００１５】
請求項２記載の発明では、上記第２の課題を解決するための手段を提供する。即ち、本発明は、ルーバー窓の保持アームに挿着されて回動するルーバー羽根であって、該ルーバー羽根は、その本体を成す板ガラスの縁部が、断面が溝形であって表面が平滑な金属フレームによって覆われて成り、該ルーバー羽根が鎧における鎧板の如く接触して閉じる際には該金属フレームの平滑な表面同士の接触となって雨水の浸入が阻止される構成であると同時に、本体を成す板ガラスは断面が溝形の金属フレームによって縁部が保護されるようになって破壊が阻止される構成であることを特徴とするところの雨水浸入阻止機能と破壊阻止機能とを同時に有するルーバー羽根を提供する。
【００１６】
請求項３記載の発明では、上記第３の課題を解決するための手段を提供する。即ち、本発明は、ルーバー窓の保持アームに挿着されて回動するルーバー羽根であって、該ルーバー羽根は、その本体を成す板ガラスの縁部が、断面が溝形であって表面が平滑な金属フレームによって覆われて成り、該縁部を覆う金属フレームにはルーバー羽根を保持アームの本体部に掛け止める掛止手段が設けられていて保持アームからの抜脱が阻止される構成であると同時に、該ルーバー羽根が鎧における鎧板の如く接触して閉じる際には該金属フレームの平滑な表面同士の接触となって雨水の浸入が阻止される構成であり、本体を成す板ガラスは断面が溝形の金属フレームによって縁部が保護されるようになって破壊が阻止される構成であることを特徴とするところの抜脱阻止機能と雨水浸入阻止機能と破壊阻止機能とを同時に有するルーバー羽根を提供する。
【００１７】
請求項４記載の発明では、上記第１の課題を解決するための具体的な手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め螺入されている止めネジから成り、該止めネジは、ルーバー羽根が保持アームに挿着される前にあっては該金属フレームの表面から突出しない程度にまで螺入されて該金属フレーム内に没している状態とされていて、ルーバー羽根が保持アームに挿着された後にあっては該止めネジの一部が保持アームに引っ掛かる程度にまで金属フレームの表面から突出した状態とされ、ルーバー羽根は該突出した止めネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。なお、本願において、止めネジとは、相手部材の摺動や滑りなどを止めるために螺入されるネジを指すものとし、例えば、全長に亘り同径であって全長にネジ溝が設けられているような小ネジなどがある。
【００１８】
請求項５記載の発明では、上記の第１の課題を解決するための具体的な手段の、もう１つの手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられているネジ穴から成り、該ネジ穴にはルーバー羽根の抜脱阻止に供するネジが、ルーバー羽根が保持アームに挿着された後に螺入ないしは嵌められ、ルーバー羽根は該螺入ないしは嵌められたネジに掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。
【００１９】
請求項６記載の発明では、上記の第１の課題を解決するための具体的な手段の、他のもう１つの手段を提供する。即ち、本発明は、請求項１記載の抜脱阻止機能を有するルーバー羽根または請求項３記載の抜脱阻止機能と雨水浸入阻止機能と破壊阻止機能とを同時に有するルーバー羽根において、上記掛止手段は、該金属フレームに予め設けられている窪みから成り、該窪みには、ルーバー羽根が保持アームに挿着された後に、保持アームに予め設けられているネジ穴に螺入されたネジの先端部が嵌り、該ルーバー羽根は保持アームに螺入された該ネジの先端部に掛け止められて保持アームからの抜脱が阻止される構成であることを特徴とするところの抜脱阻止機能を有するルーバー羽根または抜脱阻止機能と雨水浸入阻止機能と破壊阻止機能とを同時に有するルーバー羽根を提供する。
【００２０】
請求項７記載の発明では、上記第３の課題を解決するための方法を提供する。即ち、本発明は、ルーバー羽根の本体を成す板ガラスへの抜脱阻止機能と雨水浸入阻止機能と破壊阻止機能の付与方法であって、先ずは、その本体を成す板ガラスは保持アームに挿着されるに先立ち、該板ガラスの縁部には、断面が溝形であって表面が平滑であり且つルーバー羽根を保持アームの本体部に掛け止める掛止手段を有する金属フレームが、該板ガラスの縁部を覆うように設けられ、しかる後、該ルーバー羽根は保持アームに挿着されて、該ルーバー羽根が鎧における鎧板の如く接触して閉じる際には該金属フレームの平滑な表面同士が接触するようになることによって雨水浸入阻止機能が付与され、同時に、板ガラスの縁部を覆うように設けられた断面溝形の金属フレームによって該板ガラスの縁部が保護されるようになることによって該ルーバー羽根には破壊阻止機能が付与され、次に、上記のようにして該雨水浸入阻止機能と破壊阻止機能とが付与されたルーバー羽根は縁部を覆うように設けられた該金属フレームに予め設けられている上記掛止手段によって保持アームの本体部に掛け止められるようにされることによって抜脱阻止機能が付与されることを特徴とするところのルーバー羽根への抜脱阻止機能と雨水浸入阻止機能と破壊阻止機能の付与方法を提供する。
【発明の効果】
【００２１】
請求項１記載の抜脱阻止機能を有するルーバー羽根によれば、該ルーバー羽根の縁部を覆う金属フレームには、ルーバー羽根を保持アームの本体部に掛け止める掛止手段が設けられている。第三者がルーバー羽根を抜き外そうとした場合には、該掛止手段が保持アームの本体部に引っ掛かって抜脱が阻止される。該掛止手段は、特開２００５−１２０８１２号公報に記載の掛止手段のようにクリップ部の動きを封ずる構成ではなくて、保持アームの本体部に掛け止める構成であるので、クリップ方式やホルダ方式を問わず何れの方式のルーバー窓においても機能する。即ち、ルーバー窓の大半を占めるホルダ方式のルーバー窓においても抜脱は阻止されるのであり、特開２００５−１２０８１２号公報に記載のルーバー羽根よりも用途範囲が格段に広い。しかも、本発明のルーバー羽根は、公知のルーバー窓が「就寝時や外出時にはルーバー羽根を閉じて下さい」なる警告文によって求めているような、住人の防犯意識に頼る人為的な対策ではなくて、ルーバー羽根自体が有する機能に基づく対策であり、防犯は確実に保障され、何れの方式のルーバー窓においてもルーバー羽根が抜き外されることはない。従って、外出時や就寝時の度毎にルーバー羽根を閉める必要はなく、常時換気が可能であって浴室やトイレの用途としては最適である。また、別途に取付ける従来方式の面格子は必要としないため、コストは掛かないし、ルーバー羽根の羽根模様と面格子の格子模様とが重畳することがなくてルーバー窓に特有の美観が損なわれることもない。また、本発明のルーバー羽根は、ルーバー羽根を２重に構成したダブルルーバー窓においても機能するものであり用途は広い。
【００２２】
請求項２記載の雨水浸入阻止機能と破壊阻止機能とを有するルーバー羽根によれば、該ルーバー羽根はその本体を成す板ガラスの縁部が、断面が溝形であって表面が平滑な金属フレームによって覆われている。表面が平滑な金属フレームの表面は概して鏡面状であり強度も有するものであって、表面が平滑な金属フレームによって縁部が覆われて成るルーバー羽根では、該ルーバー羽根が鎧における鎧板の如く接触する際には鏡面同士の密な接触となり、雨水の浸入は阻止されるのであり、シリコーンゴム等から成る弾性材は必要としない。また、板ガラスの縁部が溝型の金属フレームによって覆われて成るルーバー羽根は、縁部の表面部と側面部と裏面部とが金属フレームから成る面格子によって覆われていて、縁部の３面に面格子が形成された状態となる。この状態の面格子は、面格子としての金属フレームがガラスと一体になっていて両者の間に間隙は全く生じない構成であり、従来方式の面格子のようにバール等を差し込むことは不可能であって破壊されることはない。このように、本発明のルーバー窓は破壊阻止機能を有するものであって、従来方式の面格子は必要としないため、コストは掛かないし、ルーバー羽根の羽根模様と面格子の格子模様とが重畳することがなくてルーバー窓に特有の美観が損なわれることもない。また、住人の防犯意識に頼る人為的な対策ではなくてルーバー羽根自体が有する機能に基づく対策であり、防犯は確実に保障されて安心であって、外出時や就寝時の度毎にルーバー羽根を閉める必要はなく、常時換気が可能であって浴室やトイレの用途としては最適である。
【００２３】
請求項３記載の抜脱阻止機能と雨水浸入阻止機能と破壊阻止機能とを有するルーバー羽根は、上記の請求項１記載の機能と請求項２記載の機能とを同時に有するものであって、別途に取付ける従来方式の面格子やシリコーンゴム等から成る弾性材は設ける必要はなくて、抜脱が阻止されると同時に、雨水の浸入が阻止され、ルーバー羽根の破壊もが阻止される。そして、上記の請求項１記載の効果と請求項２記載の効果とを同時に有する。即ち、本発明のルーバー羽根によれば、従来方式の面格子は必要としないため、コストは掛かないし、ルーバー羽根の羽根模様と面格子の格子模様とが重畳することがなくてルーバー窓に特有の美観が損なわれることもない。また、本発明のルーバー羽根はルーバー羽根自体が有する機能に基づく対策であって、公知の安全対策のように住人の防犯意識に頼る人為的な対策ではないため、防犯は確実に保障されて安心である。従って、外出時や就寝時の度毎にルーバー羽根を閉める必要はなくて、常時換気が可能であって浴室やトイレの用途としては最適である。
【００２４】
請求項４記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め螺入されている止めネジから成る。該止めネジは、ルーバー羽根が保持アームに挿着される前にあっては該金属フレームの表面から突出しない程度にまで螺入されていて該金属フレーム内に没しているため、挿着の際に該止めネジが保持アームに引っ掛かるようなことはなくて、挿着操作に支障を来たすことはない。該止めネジの類はルーバー羽根が保持アームに挿着された後にあっては保持アームに掛かる程度にまで金属フレームの表面から突出させているので、ルーバー羽根を保持アームから抜き外そうとした場合には、該止めネジが保持アームに引っ掛かって抜脱が阻止される。該止めネジは既に螺入されているので、ネジをネジ穴に挿入する作業は不要であってネジ挿入に際し失敗がないし、手間が掛からない。即ち、既に螺入されている止めネジをレンチ等で回せば容易に突出させることができるのであり、操作が簡単確実である。抜脱阻止の状態を永久に維持するための操作は、止めネジ頭部の工具勘合部３３（ネジ回しやレンチ等の工具を嵌める部分）にシーリング材ないしは接着剤などの充填剤を詰めることにより簡単に行えるのであり、何れの操作も簡単である。
【００２５】
請求項５記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め設けられたネジ穴から成る。抜脱阻止に供するネジは、該ルーバー羽根が保持アームに挿着された後に、金属フレームに予め設けられている該ネジ穴に螺入ないしは嵌められる構成であるから、該ネジ穴や該ネジがルーバー羽根の挿着作業に支障をきたすことはない。このようにして抜脱阻止に供するネジが螺入された後の状態は、請求項４記載のルーバー羽根において止めネジが突出した状態に同じであり、止めネジによる効果と同等の効果が得られて抜脱は阻止される。
【００２６】
請求項６記載の抜脱阻止機能を有するルーバー羽根または抜脱阻止機能と雨水浸入阻止機能と破壊阻止機能とを同時に有するルーバー羽根によれば、保持アームからのルーバー羽根の抜脱を阻止する掛止手段は、金属フレームに予め設けられた窪みから成る。該窪みには、抜脱阻止に供するネジが、ルーバー羽根が保持アームに挿着された後に、保持アームに予め設けられているネジ穴に螺入される構成であり、ルーバー羽根の挿着作業に支障をきたすことはない。保持アームに螺入されて該ネジの先端部が窪に嵌った状態は、請求項４や請求項５に記載のルーバー羽根における抜脱阻止の状態に匹敵するものであり、請求項４や請求項５に記載のルーバー羽根における場合と同等の効果が得られて抜脱は阻止される。
【００２７】
請求項７記載の、ルーバー羽根への抜脱阻止機能と雨水浸入阻止機能と破壊阻止機能の付与方法によれば、該付与方法は、ルーバー羽根の縁部を覆う金属フレームに予め仕掛けておく（付与しておく）方法であって、作業が容易であり手間が掛からない。
【発明を実施するための最良の形態】
【００２８】
以下に、本発明を実施するための最良の形態を実施例に基づいて図面を参照しながら説明する。
図１は本発明の第１実施例における抜脱阻止機能と雨水浸入阻止機能と破壊阻止機能とを有するルーバー羽根１１の正面図である。図２は図１のＡ−Ａ線切断部端面図の部分拡大図であって挿着前の状態（止めネジ３１が没の状態）を示しており、図３は図１のＡ−Ａ線切断部端面図の部分拡大図であって抜脱阻止の状態（止めネジ３１が突出の状態）を示しており、図４は図１に示すルーバー羽根１１がホルダ方式の保持アーム５０に挿着された状態を示す部分正面図であり、図５は図４のＢ―Ｂ線切断部端面図であって抜脱阻止の状態を示している。図６は本発明の第３実施例においてルーバー羽根１３がホルダ方式の保持アーム５０に挿着された状態を示す部分正面図である。
【００２９】
第１実施例は、主に請求項１と請求項３と請求項４と請求項７に係る部分であり、ルーバー羽根１１がホルダ方式の保持アーム５０に挿着されて抜脱が阻止され、雨水の浸入が阻止され、ガラス割り等の破壊が阻止される例について説明する。
図１に示すルーバー羽根１１は、その本体を成す板ガラス２１の縁部が表面と側面と裏面の３面に亘り、断面が溝形であって表面が平滑な金属フレーム２２によって覆われて成る。板ガラス２１としては型板ガラス、透明平板ガラス、ステンドグラスなど何れのガラスであってもよい。例えば、十数個のルーバー羽根によって構成されるルーバー窓において、その中の２〜４個を、ステンドグラスを用いて形成したルーバー羽根でもって構成することも可能であり、その場合には美観が飛躍的に、しかも低コストに向上する。金属フレーム２２としては、素材がアルミやステンレス、真鍮等々から成り、断面形状が溝型であって表面が平滑な型材を用いることができるが、その中でもアルミの押出し型材が適している。なお、６ｍｍ用保持アームに適合するルーバー羽根として製造する場合には、板ガラス２１は厚みが３ｍｍ〜４ｍｍであって、金属フレーム２２は溝幅の外寸が６．０〜６．８ｍｍの型材を用いる必要がある。
【００３０】
金属フレーム２２は、ルーバー羽根１１の仕上がり寸法に応じて切断され、その短辺側の金属フレームには、ルーバー羽根１１を保持アーム５０に掛け止める掛止手段３０が設けられている。本実施例では、掛止手段３０としては止めネジ３１が用いられ、止めネジ３１は保持アーム本体部５１の下方であって、ルーバー羽根１１が鎧板状に接触する接触部の上方に相当する箇所(図４，図５参照）に設けられている。止めネジ３１が設けられている短辺側の金属フレーム２２は、長辺側の金属フレームと組み合わされて、板ガラス２１の縁部に配設さられ、図１に示すルーバー羽根１１が形成される。なお、図１に示す例では、止めネジ３１は片方の短辺では省略されている。なおまた、掛止手段３０（止めネジ３１）は、金属フレーム２２を板ガラス２１の縁部に配設した後に設けるようにしてもよい。なお、本願において、止めネジとは、相手部材の摺動や滑りなどを止めるために螺入されるネジ類を指し、例えば、全長に亘り同径であって全長にネジ溝が設けられているような小ネジなどがある。
【００３１】
図２は、図１のＡ−Ａ線切断部端面の部分拡大図であり、ルーバー羽根１１が保持アーム５０に挿着される前の状態を示している。即ち、止めネジ３１は、ルーバー羽根１１が保持アーム５０に挿着される前にあっては、図２に示すように、金属フレーム２２の表面から突出しない程度にまで螺入されていて金属フレーム２２内に没した状態に保たれている。
【００３２】
ルーバー羽根１１を保持アーム５０に挿着するに際しては、先ずは、ホルダ４０が従来同様の要領によってルーバー羽根１１は短辺側に被せられ、しかる後、保持アーム５０に挿着（図４、図５参照）される。ホルダ４０のルーバー羽根１１への装着や、ルーバー羽根１１の保持アーム５０への挿着に際しては、止めネジ３１は金属フレーム２２の表面から突出しない程度に螺入されていて没した状態にあるので、従来と同じ作業手順にて行うことができる。即ち、止めネジ３１がホルダ４０の装着作業や保持アーム５０への挿着作業に支障を来たすことはない。ホルダ４０が被せられて保持アーム５０の本体部５１に挿着されたルーバー羽根１１は、図４と図５に示すように、ホルダ４０の掛合ボタン４１が保持アーム５０の掛合窓５３に嵌って所定位置に保持される。
【００３３】
保持アーム５０の本体部５１に挿着されたルーバー羽根１１は、止めネジ３１の頭部の工具勘合部３３にネジ回しや六角レンチを嵌めて止めネジ３１が突出する方向に回し、図３および図５に示すように、保持アーム５０の本体部５１に引っ掛かる程度にまで金属フレーム２２の表面から突出させる。止めネジ３１が突出した状態にあっては、第三者がルーバー羽根１１を保持アーム５０から抜き外そうとしたとしても、止めネジ３１が保持アーム５０の本体部５１に引っ掛かるため、ルーバー羽根は抜き外すことはできないのであって、抜脱が阻止される。なお、屋外方向への抜脱は底部５２によって阻止される。ルーバー羽根１１の抜脱を永久に阻止するための手段としては、シーリング材などの充填材を止めネジ３１の工具勘合部３３に充填する方法によるのがよい。なお、修理等の都合で、ルーバー羽根１１を抜き外す必要が生じた場合には、ルーバー羽根１１はカッターで切断して撤去することになる。
【００３４】
次に、請求項２に係る部分については図１を援用して説明する。請求項２記載のルーバー羽根は、図１に示すルーバー羽根１１において掛止手段３０の部分が設けられていない構成に相当するものであり、図１を援用して説明することとする。本体を成す板ガラス２１の縁部は、断面が溝型であって表面が平滑な金属フレーム２２、例えば、押し出し成形方など一般的な製法によって形成された金属フレームによって覆われている。これら一般的な製法によって形成された金属フレーム２２は表面が鏡面状であり、該鏡面状の表面を有する請求項２記載のルーバー羽根が、鎧における鎧板の如く接触して閉じる際には、鏡面と鏡面の密な接触となって雨水の浸入が阻止される。また、請求項２記載のルーバー羽根の本体を成す板ガラス２１の縁部は断面が溝型の金属フレーム２２によって覆われていて、該縁部が面格子によって保護される状態となっている。即ち、該金属フレーム２２から成る面格子は板ガラス２１に密着して形成されているので、屋外側に別途に取付けられる従来型の面格子のようにバール等が差し込まれる間隙はないのであり、請求項２記載のルーバー羽根はバール等によっても破壊されることはないのであり、破壊阻止機能を有する。
【００３５】
上記実施例では、掛止手段３０（止めネジ３１）は、図１〜図５に示すように、保持アーム本体部５１の下方であって鎧板状に接触する接触部の上方に位置する箇所に設けられているが、掛止手段３０（止めネジ３１）が設けられる箇所は、上記の該箇所に限定されるものではなく、例えば、保持アーム本体部５１の比較的上方に設けることもできる。なお、掛止手段３０を設ける箇所が、保持アーム５０の本体部５１によって覆われていて露出していない場合には、該箇所に切り欠き部を形成して露出状態とし、該切り欠き部の箇所に掛止手段３０を設けるようにする。なお、ホルダ方式の保持アームに挿着する場合にはホルダ４０に対しても同じ位置に切り欠き部を形成する必要がある。従って、掛止手段３０を保持アーム本体部５１の比較的上方に設ける場合には、該箇所に切り欠き部が形成されている形状の保持アームやホルダを用いるようにするのがよい。
【００３６】
第２実施例は、主に請求項１と請求項５に係る実施例であり、ルーバー羽根を保持アームに掛け止めて抜脱を阻止する掛止手段３０が、金属フレーム２２に予め設けられたネジ穴から成る。第２実施例は、第１実施例における止めネジ３１が、ネジ穴に置き替わった構成である。即ち、図１を援用して説明するとすれば、該ネジ穴は、図１における止めネジ３１（掛止手段３０）の箇所に設けられている。掛止手段３０としては、タッピングネジ、なべ小ネジ、止めネジ、さら小ネジなどのネジ類を用いることができる。該ネジ類はルーバー羽根が保持アームに挿着された後に該ネジ穴に対して螺入されるのであり、該ネジ類がルーバー羽根の挿着作業に支障を来たすことはない。第２実施例におけるタッピングネジ、なべ小ネジ、止めネジ、さら小ネジなどのネジ類は、ルーバー羽根が挿着されて該ネジ類が螺入された後は、第１実施例における止めネジ３１の場合と同様に機能するものであり、該螺入されたネジ類に掛け止められて抜脱が阻止される。
【００３７】
図６に示す第３実施例は、請求項１と請求項６に係る実施例である。本例のルーバー羽根１３は、板ガラス２１の縁部に金属フレーム２２が設けられていて、該金属フレーム２２には掛止手段３０としての窪みが設けられている。一方、保持アーム５０の本体部５１には、該窪みが設けられている箇所と重なる箇所にはネジ穴が予め設けられていて、該ネジ穴には抜脱阻止に供するタッピングネジ、なべ小ネジ、止めネジ、さら小ネジなどのネジ類３２が螺入され、この螺入されたネジ類３２の先端部が掛止手段３０としての窪みに嵌る構成になっている。ルーバー羽根１３は、この窪みの類に嵌った該先端部に引っ掛かった状態となって抜脱が阻止される。この場合、ネジ類３２はこれに代わる突起の類であってもよい。
【００３８】
上記の各実施例は、ホルダ方式の保持アームに挿着される場合を例として説明したが、クリップ方式の保持アームにおいても全く同様の要領にて実施することができる。本発明では、掛止手段３０は保持アーム５０の本体部５１に掛け止める構成であって、クリップ部の有無には関係のない構成であり、クリップ方式の保持アームに限定されるものではない。即ち、ホルダ方式の保持アームにもクリップ方式の保持アームにも共通して存在する本体部に対して掛け止める構成であるので、ホルダ方式やクリップ方式の何れの方式の保持アームにおいても共通して同様に機能し、抜脱は阻止される。
【００３９】
上記の各実施例においては、掛止手段３０は金属フレーム２２の短辺の屋内側の面に設けられた例について説明したが、掛止手段３０を設ける箇所は実施例で示した箇所に限定されるものではなく、保持アーム５０に引っ掛かる箇所であれば何れの箇所であってもよい。また、掛止手段３０は、ルーバー羽根１個に対して１箇所設ければ十分であり、片方は省略することができる。また、掛止手段３０は、複数個が連なって成るルーバー羽根の全てのルーバー羽根に設ける必要はなくて、浸入者の体が通れない程度の間隔（２〜３個毎の間隔）に設ければ十分である。また、ルーバー羽根を２重に設けたダブルルーバー窓に用いる場合には、室外側になる方のルーバー羽根にのみ本発明のルーバー羽根を用いればよい。また、ステンドグラスを用いる場合には室内側に部分的に用いればよい。
【図面の簡単な説明】
【００４０】
【図１】本発明の第１実施例に係るルーバー羽根１１の正面図である。
【図２】図１のＡ−Ａ線切断部端面の部分拡大図であり、挿着前の状態（止めネジ３１が没の状態）を示す。
【図３】図１のＡ−Ａ線切断部端面の部分拡大図であり、抜脱阻止の状態（止めネジ３１が突出の状態）を示す。
【図４】図１に示すルーバー羽根１１がホルダ方式の保持アーム５０に挿着された状態を示す部分正面図である。
【図５】図４のＢ―Ｂ線切断部端面図であり、抜脱阻止の状態を示す。
【図６】本発明の第３実施例における抜脱阻止の状態を示す部分正面図である。
【図７】従来のルーバー窓の概要を示す縦断面図である。
【符号の説明】
【００４１】
１１  本発明の第１実施例に係るルーバー羽根
１３  本発明の第３実施例に係るルーバー羽根
２１  板ガラス
２２  金属フレーム
３０  掛止手段
３１  止めネジ
３２  タッピングネジなどのネジ類
３３  工具勘合部
４０  ホルダ
４１  掛合ボタン
５０  保持アーム
５１  本体部
５２  底部
５３  掛合窓
５４  アーム部
Ｒ  ルーバー羽根
Ｈ  保持アーム
Ｗ  窓枠
Ｆ  連動フレーム
Ｐ  オペレータ